(57)【要約】  この表示方法においては、表示装置に携帯端末が近づいたことを検出する検出ステップと、前記表示装置に対応づけて記録された地域情報および前記携帯端末に対応づけて記録された希望情報に基づいて、前記検出ステップの後に前記表示装置に表示させる希望コンテンツを選択するステップと、前記希望コンテンツを選択するステップにおいて選択した前記希望コンテンツを前記表示装置へ送信するステップと、を有する。
2018158958.tif 000002
【特許請求の範囲】
【請求項１】
表示装置に携帯端末が近づいたことを検出する検出ステップと、
前記表示装置に対応させて予め設定された地域情報と、前記携帯端末に対応させて予め設定された希望情報とに基づいて、前記検出ステップの後に前記表示装置に表示させる希望コンテンツを選択するステップと、
前記希望コンテンツを選択するステップにおいて選択した前記希望コンテンツを前記表示装置へ送信するステップと、
を有する表示方法。
【請求項２】
前記希望コンテンツは、前記携帯端末の位置の履歴に基づいて選択されたコンテンツである、
請求項１に記載の表示方法。
【請求項３】
前記地域情報は、複数の地域を示す情報を含み、
前記希望コンテンツは、前記複数の地域のうち、前記位置の履歴に応じて選択された地域に基づいて選択されたコンテンツである、
請求項２に記載の表示方法。
【請求項４】
前記検出ステップにおいて、前記表示装置の周辺に設定された判定領域に前記携帯端末が入った場合に、前記携帯端末が前記表示装置に近づいたことを検出する、
請求項１から請求項３のいずれか１項に記載の表示方法。
【請求項５】
前記表示装置に対する前記携帯端末の位置と移動方向とに関する情報の少なくともいずれか一方に基づいて、前記表示装置に前記希望コンテンツを表示するか否かを決定する決定ステップをさらに有する、
請求項１から請求項４のいずれか１項に記載の表示方法。
【請求項６】
前記決定ステップの後に、前記表示装置に前記希望コンテンツを表示させるステップをさらに有する、
請求項５に記載の表示方法。
【請求項７】
前記地域情報は、地域ごとに予め順位が設定された複数の地域を示す情報を含み、
前記希望コンテンツは、前記複数の地域のうち、前記順位に応じて選択された地域に基づいて選択されたコンテンツである、
請求項１から請求項６のいずれか１項に記載の表示方法。
【請求項８】
前記希望コンテンツは、前記順位及び前記携帯端末の位置履歴に応じて選択された地域に基づいて選択されたコンテンツである、
請求項７記載の表示方法。
【請求項９】
前記地域情報に基づいて、前記希望コンテンツを選択することを予め設定するステップをさらに有する、
請求項１から請求項８のいずれか一項に記載の表示方法。
【請求項１０】
表示装置に携帯端末が近づいたことを検出した場合、前記表示装置に対応させて予め設定された地域情報と、前記携帯端末に対応させて予め設定された希望情報とに基づいて、希望コンテンツを選択する選択部と、
前記選択部が選択した前記希望コンテンツを前記表示装置へ送信する送信部と、
を有する表示制御装置。
【請求項１１】
前記表示装置の位置の情報と、前記携帯端末の位置の情報とに基づいて、前記表示装置に前記携帯端末が近づいたことを検出する検出部をさらに有する、
請求項１０に記載の表示制御装置。
【請求項１２】
配信システムと、前記配信システムから送信された希望コンテンツを表示する表示装置とを有する表示システムであって、
前記配信システムは、
前記表示装置に対応させて予め設定された地域情報と、携帯端末に対応させて予め設定された希望情報とを記録する記録部と、
前記地域情報と前記希望情報とに基づいて、希望コンテンツを選択する選択部と、
前記希望コンテンツを前記表示装置に送信する送信部と、
を有する、
表示システム。
【発明の詳細な説明】
【技術分野】
【０００１】
本発明は、表示方法、表示制御装置、及び表示システムに関する。
【背景技術】
【０００２】
駅、バス停、サービスエリア、および空港等の公共の場所に設けられている表示装置には、案内、お知らせ、広告等の様々な情報を通行人に通知するコンテンツが表示される。例えば、特許文献１に記載の情報提供表示システムには、通行人の年齢構成及び性別構成に合致した広告を表示する技術が開示されている。また、特許文献２に記載の広告情報提供システムには、通行人を撮影してその属性を判定するシステムが開示されている。【０００３】
しかし、表示装置に表示されているコンテンツは、通行人の属性情報に対応しているが、必ずしも通行人が取得を希望する情報を含むコンテンツであるとは限らない。つまり、従来の情報提供システムは、表示装置の近くを通行する通行人に、適切に通行人が取得を希望するコンテンツを表示することができない、という問題があった。
【先行技術文献】
【特許文献】
【０００４】
【特許文献１】特開２００４−１５７４９８号公報
【特許文献２】特開２００９−２１１２８４号公報
【発明の概要】
【発明が解決しようとする課題】
【０００５】
本発明は上記の点に鑑みてなされたものであり、本発明の目的は、表示装置の近くを通行する通行人に適切に通行人が希望するコンテンツを表示装置に表示する表示方法、表示制御装置、及び表示システムを提供することにある。
【課題を解決するための手段】
【０００６】
上記した目的を達成するため、本発明における表示方法は、表示装置に携帯端末が近づいたことを検出する検出ステップと、前記表示装置に対応させて予め設定された地域情報および前記携帯端末に対応させて予め設定された希望情報に基づいて、前記検出ステップの後に希望コンテンツを選択するステップと、前記希望コンテンツを前記表示装置へ送信するステップと、を有する。【０００７】
上記した目的を達成するため、本発明における制御装置は、表示装置に携帯端末が近づいたことを検出する検出部と、前記表示装置に対応させて予め設定された地域情報および前記携帯端末に対応させて予め設定された希望情報に基づいて、希望コンテンツを選択する選択部と、前記希望コンテンツを前記表示装置へ送信する送信部と、を有する。
【発明の効果】
【０００８】
本発明によれば、表示装置の近くを通行する通行人に適切なコンテンツを表示装置に表示することができる。
【図面の簡単な説明】
【０００９】
【図１】第１の実施形態の表示方法を使用する表示システムのシステム構成図である。
【図２】第１の実施形態の表示方法を使用する表示制御装置の構成を示す構成図である。
【図３】第１の実施形態の表示方法において使用する希望情報の例である。
【図４】第１の実施形態の表示方法において使用する地域情報の例である。
【図５】第１の実施形態の表示方法において使用するコンテンツ情報の例である。
【図６】第１の実施形態の表示方法の流れを示すフローチャートである。
【図７】第１の実施形態の表示方法を使用した動作例である。
【図８】第２の実施形態の表示方法の流れを示すフローチャートである。
【図９】第３の実施形態の表示制御装置の構成を示す構成図である。
【図１０】第４の実施形態の表示制御装置の構成を示す構成図である。
【発明を実施するための形態】
【００１０】
以下、実施形態の表示方法を、図面を参照して説明する。
【実施例１】
【００１１】
図１は、本実施形態の表示方法を使用する表示システム１のシステム構成図である。表示システム１は、配信システム１０と、表示装置２０と、携帯端末３０とを有する。配信システム１０と表示装置２０と携帯端末３０との各々は、ネットワーク４０に接続される。ネットワーク４０は、例えば、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、インターネット、プロバイダ装置、無線基地局、専用回線などのうちの一部または全部を含む。配信システム１０と表示装置２０と携帯端末３０との各々は、ネットワーク４０を介して相互に通信を行う。なお、配信システム１０、表示装置２０、および携帯端末３０の各々は、１ずつ設けられてもよいし、複数であってもよい。【００１２】
配信システム１０は、例えば希望表示制御装置１１と、配信制御装置１２と、データベース１３と、を有する。データベース１３は、希望情報ＤＢ１３Ａと、表示装置ＤＢ１３Ｂと、コンテンツＤＢ１３Ｃとを有する。
希望情報ＤＢ１３Ａには、表示装置２０の近くを通行中の通行人（携帯端末３０の利用者）が取得を希望する情報（希望情報）が含まれる。表示装置ＤＢ１３Ｂには、表示装置２０の設置場所に関する情報が含まれる。コンテンツＤＢ１３Ｃには、表示装置２０に表示させるコンテンツを示す画像情報が含まれる。
希望表示制御装置１１は、携帯端末３０の利用者が表示装置２０に近づいた場合に、希望情報ＤＢ１３Ａ、および表示装置ＤＢ１３Ｂに記録された情報に基づき、表示装置２０に表示させるコンテンツを選択する。希望情報ＤＢ１３Ａには、利用者の希望情報が含まれることから、希望表示制御装置１１は、利用者が取得することを希望する情報を含むコンテンツ（希望コンテンツ）を選択することができる。そして、希望表示制御装置１１は、選択した希望コンテンツを示す情報を、配信制御装置１２およびネットワーク４０を介して、表示装置２０に出力する。表示装置２０は、配信制御装置１２から配信された希望コンテンツを表示する。
これにより、表示システム１において、利用者の希望情報と、表示装置２０が設置されている場所やその場所に関係する地域を示す地域情報と、に基づいて選択された希望コンテンツが、利用者が表示装置２０に近づき、表示装置２０の表示画面を視認可能なタイミングで、表示装置２０に表示される。【００１３】
図２は、本実施形態の表示方法を使用する配信システム１０のシステム構成図である。なお、図２においては、図１におけるネットワーク４０を省略している。図１において既に説明した通り、携帯端末３０は、配信システム１０への情報の送信を、ネットワーク４０を介して行う。また、配信システム１０は、表示装置２０への希望コンテンツの送信を、ネットワーク４０を介して行う。【００１４】
希望表示制御装置１１、および配信制御装置１２は、ＣＰＵ（Ｃｅｎｔｒａｌ  Ｐｒｏｃｅｓｓｉｎｇ  Ｕｎｉｔ）等のプロセッサと、プロセッサが実行するプログラムを格納するプログラムメモリとを備えるコンピュータである。希望表示制御装置１１は、情報受信部１１０と、検出部１１１と、選択部１１２と、表示決定部１１３と、送信部１１４とを有する。【００１５】
情報受信部１１０と、検出部１１１と、選択部１１２と、表示決定部１１３と、送信部１１４との各々は、例えばＣＰＵなどのプロセッサがプログラムメモリに格納されたプログラムを実行することにより実現される。また、これらの機能部のうち一部または全部は、ＬＳＩ（Ｌａｒｇｅ  Ｓｃａｌｅ  Ｉｎｔｅｇｒａｔｉｏｎ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、またはＦＰＧＡ（Ｆｉｅｌｄ−Ｐｒｏｇｒａｍｍａｂｌｅ  Ｇａｔｅ  Ａｒｒａｙ）などのハードウェアにより実現されてもよい。【００１６】
情報受信部１１０は、携帯端末３０から端末位置情報を受信する。端末位置情報には、携帯端末３０の現在位置に関する情報が含まれる。情報受信部１１０は、携帯端末３０から受信した端末位置情報を、検出部１１１、選択部１１２および表示決定部１１３の各々に出力する。情報受信部１１０は、表示装置２０に携帯端末３０が近づいたことを検出する場合、表示装置２０から、表示装置２０に携帯端末３０が近づいたことを示す情報を受信するようにしてもよい。例えば、表示装置２０は、表示装置２０に近づいた携帯端末３０が、赤外線やＢｌｕｅｔｏｏｔｈ（登録商標）等の近距離無線通信により通信可能となった場合、配信システム１０に通知する。これにより、情報受信部１１０は、表示装置２０から、表示装置２０に携帯端末３０が近づいたことを示す情報を受信する。
情報受信部１１０は、携帯端末３０から希望情報を受信する。携帯端末３０から受信する希望情報には、携帯端末３０の利用者が取得を希望する情報が含まれる。情報受信部１１０は、携帯端末３０から受信した希望情報をその携帯端末３０の識別番号と対応付けて、利用者ごとに希望情報ＤＢ１３Ａに記録させる。【００１７】
検出部１１１は、情報受信部１１０から端末位置情報を入力する。また、検出部１１１は、表示装置ＤＢ１３Ｂに記録された設置位置情報を参照する。設置位置情報には、表示装置２０が設置されている場所に関する情報が含まれる。
そして、検出部１１１は、端末位置情報および設置位置情報に基づき、表示装置２０に携帯端末３０が近づいたことを検出する。ここで本願では、端末位置情報により特定される地点から、通常の視力を有する人間であれば表示装置２０の表示画面を視認できると推測される場合に、「表示装置２０に携帯端末３０が近づいた」とする。例えば、検出部１１１は、表示装置２０の設置場所の周辺に設定されている所定の判定領域内に携帯端末３０が入った場合に、表示装置２０に携帯端末３０が近づいたことを検出することができる。
検出部１１１は、表示装置２０に携帯端末３０が近づいたことを検出した結果（図２において、「検出結果」と記載する）を、選択部１１２に出力する。【００１８】
選択部１１２は、検出部１１１から検出結果を入力する。選択部１１２は、検出結果において表示装置２０に携帯端末３０が近づいたことが示されていた場合、表示装置ＤＢ１３Ｂに記録された地域情報を参照する。地域情報には、表示装置２０が設置されている場所やその場所に関係する地域、例えば、表示装置２０の設置場所から徒歩圏内にある地域や、設置場所が駅前であれば、その駅から電車で行くことができる地域などを示す（図４参照）情報が含まれる。
また、選択部１１２は、希望情報ＤＢ１３Ａに記録された希望情報を参照する。希望情報には、携帯端末３０の利用者が取得を希望する情報のカテゴリであって、その情報が表示装置２０に表示された場合に、利用者が興味を惹かれる可能性の高いカテゴリに関する情報が含まれる。
そして、選択部１１２は、参照した地域情報と希望情報とに基づき、コンテンツＤＢ１３Ｃに記録されたコンテンツの中から、表示装置２０が設置されている場所やその場所に関係する地域のコンテンツであって、かつ、携帯端末３０の利用者が特に見たいカテゴリに関するコンテンツを選択する。【００１９】
ここで、選択部１１２は、希望情報に代えて、または希望情報とともに端末位置情報を用いて、希望コンテンツを選択してもよい。この場合、選択部１１２は、携帯端末３０の位置の履歴に基づいて希望コンテンツを選択することができる。例えば、選択部１１２は、携帯端末３０の位置の履歴から、ある特定の店舗を頻繁に訪れていることが判明した場合、その店舗が含まれるカテゴリを、利用者の希望情報として扱うことができる。【００２０】
地域情報は、表示装置２０が設置されている場所に関係する複数の地域を示す情報が含まれてもよい（図４参照）。選択部１１２は、地域情報において複数の地域が示されている場合、希望情報とコンテンツＤＢ１３Ｃに記録されたコンテンツの中からに基づいて、複数の地域の中から１の地域を選択してもよい。例えば、選択部１１２は、複数の地域のうち、希望情報に示される利用者が閲覧を希望するカテゴリに関するコンテンツが多い地域を選択する。これにより、表示装置２０に、利用者の興味を引くコンテンツをより多く表示させることができる。【００２１】
また、選択部１１２は、地域情報において複数の地域が示されている場合、表示装置２０を設置した管理者等が設定した、希望コンテンツを選択する際の順位に応じて特定の地域を選んでもよい。
ここで、順位とは、地域情報において複数の地域が示されている場合に、複数の地域の中から１の地域を選ぶ際の優先順位をいう。例えば、順位は、表示装置２０を設置した管理者等により、予め設定される。この場合、選択部１１２は、例えば、管理者等が順位を高く設定した地域に関するコンテンツを選択する。【００２２】
順位は、地域を選択する順序を示すものであってもよいし、地域を選択する割合を示すものであってもよい。順位が、地域を選択する順序を示すものである場合、複数の地域において、順位が書き換えられない限り、順位が高く設定された特定の地域が常に選ばれる。順位が地域を選択する割合を示すものである場合、例えば、順位が高く設定された地域と順位が低く設定された地域の２つの地域があるとして、１０回の希望コンテンツの表示のうち、７回の表示を順位が高く設定された地域に関するコンテンツとし、残りの３回の表示を順位が低く設定された地域に関するコンテンツとする。【００２３】
また、選択部１１２は、地域情報において複数の地域が示されている場合、携帯端末３０の位置の履歴と、管理者等が予め設定した地域の順位とに応じて、複数の地域の中から、特定の地域を選んでもよい。この場合、例えば、利用者が頻繁に訪れる地域が複数ある場合に、管理者等が順位を高く設定した順位が選ばれる。これにより、選択部１１２は、例えば、利用者が頻繁に訪れる地域であって、管理者等が順位を高く設定した地域に関するコンテンツを選択することができる。【００２４】
また選択部１１２は、希望コンテンツを選択する場合、地域情報を用いるか否かを、予め携帯端末３０の利用者が設定した情報に基づいて、決定してもよい。この場合には、利用者が地域情報に基づいて選択された希望コンテンツを、表示装置２０に表示することを設定すると、上述した選択部１１２が行う処理にしたがって、地域情報と希望情報の双方に基づいて選択された希望コンテンツが表示される。一方、利用者が地域情報に基づいて選択された希望コンテンツを表示装置２０に表示しないことを設定すると、地域情報に関係なく、希望情報のみに基づいて選択された希望コンテンツが表示される。  選択部１１２は、希望コンテンツを選択した結果（図２において、「選択結果」と記載する）を表示決定部１１３に出力する。【００２５】
表示決定部１１３は、情報受信部１１０から端末位置情報を入力する。表示決定部１１３は、端末位置情報の履歴に基づいて、携帯端末３０が移動する方向（移動方向）を検出する。そして、表示決定部１１３は、端末位置および移動方向のうち少なくとも一方に基づいて、表示装置２０に希望コンテンツを表示するか否かを決定する。なお、表示決定部１１３が表示装置２０に希望コンテンツを表示するか否かを決定する方法については、後で詳しく説明する。
表示決定部１１３は、決定した結果（図２において、「決定結果」と記載する）を送信部１１４に送信する。【００２６】
送信部１１４は、表示決定部１１３から選択結果を入力する。送信部１１４は、選択結果に基づき、選択部１１２が選択した希望コンテンツを示す情報（図２において、「希望コンテンツ情報」と記載する）を配信制御装置１２に送信する。【００２７】
配信制御装置１２は、送信部１１４から表示装置２０に表示させる希望コンテンツ情報を受信する。配信制御装置１２は、受信した希望コンテンツ情報に基づき、表示装置ＤＢ１３Ｂに記録された設置位置情報を参照し、希望コンテンツを表示させる表示装置２０の設置位置情報を取得する。
配信制御装置１２は、取得した設置位置情報に基づいて特定される希望コンテンツを表示させる表示装置２０に、希望コンテンツを配信する。【００２８】
データベース１３は、データを記録するための記憶媒体を有する。データベース１３が有する記憶媒体として、例えば、ＨＤＤ（Ｈａｒｄ  Ｄｉｓｃ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、またはＲＡＭ（Ｒａｎｄｏｍ  Ａｃｃｅｓｓ  Ｍｅｍｏｒｙ）などが用いられる。データベース１３は、希望情報ＤＢ１３Ａと、表示装置ＤＢ１３Ｂと、コンテンツＤＢ１３Ｃとを有する。
図３を用いて、希望情報ＤＢ１３Ａについて説明する。図３は、希望情報ＤＢ１３Ａに記録される情報の一例を示す図である。【００２９】
希望情報ＤＢ１３Ａにおいては、携帯端末３０の識別番号（図３において、「端末ＩＤ」と記載する）ごとに、図３のテーブルが形成される。
希望情報ＤＢ１３Ａには、表示装置２０の設置位置情報が記録される。図３に示す例では、イベントや飲食店、施設等の大項目が記録される。また、大項目の各々に対応付けて複数の小項目が記録される。図３に示す例では、大項目「地域のイベント」に対する小項目として、「祭り」、「音楽イベント」、「スポーツイベント」が記録される。また、大項目「地域の飲食店」に対する小項目として、「テレビに出た店」、「パン屋」、「喫茶店」等が記録される。また、大項目「地域の施設等」に対する小項目として、「アミューズメント」、「ミュージアム」、「観光」、「ショッピング」、「工場見学」等が記録される。【００３０】
図３の例では、希望情報ＤＢ１３Ａには、イベントや飲食店、施設等のカテゴリ毎に利用者の希望するカテゴリが記録されるが、これに限定されることはない。例えば、利用者の年齢や性別等の属性情報が記録されてもよいし、利用者の第１言語（利用者の最も得意な言語、母語ともいう）の情報が記録されてもよい。【００３１】
図４を用いて、表示装置ＤＢ１３Ｂについて説明する。図４は、表示装置ＤＢ１３Ｂに記録される情報の一例を示す図である。
表示情報ＤＢ１３Ｂにおいては、表示装置２０の識別番号（図４において、「装置ＩＤ」と記載する）ごとに、図４のテーブルが形成される。
図４に示すように、表示装置ＤＢ１３Ｂには、装置ＩＤに対応づけて設置位置情報が記録される。また、表示装置ＤＢ１３Ｂには、設置位置情報に関係する地域における複数の地域情報が記録される。そして、表示装置ＤＢ１３Ｂには、複数の地域情報の各々に対応した順位が記録される。地域情報は、表示装置２０を設置する際に、予め管理者等により決定される。設置位置情報および地域情報は、例えば、表示装置２０を設置する際などに、例えば表示装置２０の大きさや設置方向、設置した高さ等を考慮して予め管理者等により記録される。【００３２】
図５を用いて、コンテンツＤＢ１３Ｃについて説明する。図５は、コンテンツＤＢ１３Ｃに記録される情報の一例を示す図である。コンテンツＤＢ１３Ｃには、表示装置２０に表示させるコンテンツが記録される。
図５に示すように、コンテンツＤＢ１３Ｃには、コンテンツＩＤに対応づけてコンテンツの分類を示す情報が記録される。コンテンツの分類を示す情報は、イベントや飲食店、施設等の大項目が記録される。また、大項目の各々に対応付けて複数の小項目が記録される。これらのコンテンツＤＢ１３Ｃにおける大項目と小項目は、希望情報ＤＢ１３Ａにおける大項目と小項目に対応する。
また、図５に示すように、コンテンツＤＢ１３Ｃには、コンテンツＩＤに対応づけて、表示対象の装置ＩＤが記録される。表示対象の装置ＩＤとは、コンテンツを表示させる表示装置の識別情報である。例えば、コンテンツの大項目が「イベント」で小項目が「祭り１」である場合、「祭り１」が開催される地域や、開催される場所までの経路沿いに設置された表示装置の装置ＩＤが記録される。【００３３】
図２に戻り、表示装置２０は、配信制御装置１２から配信されたコンテンツを表示する。表示装置２０は、例えば通信機能を有する液晶ディスプレイ、有機ＥＬ（Ｅｌｅｃｔｒｏｌｕｍｉｎｅｓｃｅｎｃｅ）ディスプレイなどである。
携帯端末３０は、希望表示制御装置１１に、希望情報および端末位置情報を送信する。携帯端末３０は、例えば無線通信装置を搭載した携帯電話器、ゲーム機、ＰＤＡ（Ｐｅｒｓｏｎａｌ  Ｄｉｇｉｔａｌ  Ａｓｓｉｓｔａｎｔ）など、携帯可能な通信装置である。
携帯端末３０は、例えばＧＰＳ（Ｇｌｏｂａｌ  Ｐｏｓｉｔｉｏｎｉｎｇ  Ｓｙｓｔｅｍ）等を用いて、位置情報を取得する位置情報取得部（図示なし）を有する。
また、携帯端末３０は、利用者の希望情報を取得する希望情報取得部（図示なし）を有する。希望情報取得部は、例えば携帯端末３０を携帯する利用者等がウェブのブラウザや専用のアプリを用いて指定した、希望情報を取得する。
そして、携帯端末３０は、希望情報および端末位置情報の各々を情報受信部１１０に送信する情報送信部（図示なし）を有し、上述した位置情報取得部が取得した携帯端末３０の位置情報、および希望情報取得部が取得した希望情報を、ネットワーク４０を介して情報受信部１１０に送信する。【００３４】
ここでは、図６、図７を用いて、表示決定部１１３が表示装置２０に希望コンテンツを表示するか否かを決定する方法について説明する。
図６は、配信システム１０の動作を示すフローチャートである。図７は、表示装置２０と携帯端末３０との位置の関係を説明する図である。図７（ａ）は、表示装置２０に携帯端末３０が近づく場合の一例を示す図である。図７（ｂ）は、表示装置２０に携帯端末３０が近づく場合の他の例を示す図である。【００３５】
まず、検出部１１１は、端末位置情報と設置位置情報を用いて、携帯端末３０が表示装置２０に近づいたことを検出する（ステップＳ１）。
具体的に、検出部１１１は、端末位置情報に基づいて決定される携帯端末３０の位置が、判定領域Ｅ（図７（ａ）、図７（ｂ）参照）内であることを検出する。ここで、判定領域Ｅは、設置位置情報に基づいて決定される表示装置２０の設置場所の周辺に設定されている。すなわち、検出部１１１は、携帯端末３０を携帯する利用者が、表示装置２０の表示画面を視認することができる位置にいることを検出する。検出部１１１は、検出結果を選択部１１２に出力する。【００３６】
選択部１１２は、携帯端末３０が表示装置２０に近づいた場合（ステップＳ１、Ｙｅｓ）、希望情報と設置位置情報を用いて、希望コンテンツを選択する（ステップＳ２）。選択部１１２は、例えば端末ＩＤに対応づけられた希望情報を参照するとともに、装置ＩＤに対応づけられた地域情報を参照する。そして、選択部１１２は、携帯端末３０を携帯する利用者が取得を希望する希望情報と表示装置２０の設置場所における周辺の地域における地域情報とに基づいて、希望コンテンツを選択する。選択部１１２は、選択した希望コンテンツを表示決定部１１３に出力する。
一方、選択部１１２は、携帯端末３０が表示装置２０に近づいていないことを検出した場合（ステップＳ１、Ｎｏ）、すなわち、端末位置情報により特定される携帯端末３０の位置が判定領域Ｅ内でない場合、ステップＳ１に示す処理に戻る。【００３７】
次に、表示決定部１１３は、表示装置２０と携帯端末３０との位置関係に基づいて、携帯端末３０が表示装置２０から離れたことを検出する（ステップＳ３）。ここで本願では、端末位置情報により特定される地点から、通常の視力を有する人間が表示装置２０の表示画面を視認できないと推測される場合に、「携帯端末３０が表示装置２０から離れた」とする。
具体的に、表示決定部１１３は、端末位置情報に基づいて決定される携帯端末３０の位置が、設置位置情報に基づいて決定される表示装置２０の設置場所の周辺に設定された判定領域Ｅの領域外となった場合に、携帯端末３０が表示装置２０から離れたことを検出する。【００３８】
表示決定部１１３は、携帯端末３０が表示装置２０から離れたこと検出した場合（ステップＳ３、Ｙｅｓ）、本プロ―チャートに示す処理を終了させる。
一方、表示決定部１１３は、携帯端末３０が表示装置２０から離れていないことを検出した場合（ステップＳ３、Ｎｏ）、希望コンテンツを表示装置２０に表示させるか否かを決定する（ステップＳ４）。表示決定部１１３が、希望コンテンツを表示装置２０に表示させるか否かを決定する方法については、後で詳しく説明する。【００３９】
表示決定部１１３は、希望コンテンツを表示装置２０に表示させると判定した場合（ステップＳ４、Ｙｅｓ）、送信部１１４および配信制御装置１２を介して、表示装置２０に希望コンテンツを送信する（ステップＳ５）。
一方、表示決定部１１３は、希望コンテンツを表示装置２０に表示させないと判定した場合（ステップＳ４、Ｎｏ）、ステップＳ３に示す処理に戻る。【００４０】
ここで、図７（ａ）を用いて、表示決定部１１３が、希望コンテンツを表示装置２０に表示させると判定する場合について説明する。
図７（ａ）に示すように、位置Ｐ１にいる携帯端末３０が、位置Ｐ１から方向Ｄ１に示す方向に移動し、判定領域Ｅ内の位置Ｐ２に移動したとする。また、表示装置２０の片面に、表示面２０Ａが設置されるものとする。以下の説明においては、表示装置２０の表示面２０Ａが設置されている一方の片面を正面とし、表示面２０Ａが設置されていない他方の片面を背面として、説明する。
携帯端末３０が、位置Ｐ２に移動すると、判定領域Ｅの内側に入ることから、図６のステップＳ１において、携帯端末３０が表示装置２０に近づいたことが検出される。【００４１】
また、携帯端末３０が、位置Ｐ１から位置Ｐ２に移動する場合、携帯端末３０を持つ利用者の視線は、位置Ｐ１から位置Ｐ２に向かう方向であると考えられる。この場合、利用者と表示装置２０との間に遮蔽物が無ければ、表示面２０Ａが利用者の視界に入っている可能性が高いと考えられる。このように、表示決定部１１３は、端末位置情報の履歴に基づいて、携帯端末３０の移動方向を検出し、希望コンテンツを表示装置２０に表示させるか否かを判定する。具体的には、表示決定部１１３は、携帯端末３０の移動方向が、表示装置２０の正面から背面へ向かう方向と、略同方向である場合に、希望コンテンツを表示装置２０に表示させると判定する。
携帯端末３０の移動方向と、表示装置２０の正面から背面への方向とが略同方向であるか否かの判定については、表示面２０Ａの大きさや、表示面２０Ａの設置された位置における高さ等に基づいて、表示装置２０ごとに予め設定されるしきい値に基づいて決定されてもよい。この場合、例えば携帯端末３０が位置Ｐ２から方向Ｄ２に移動した場合、表示決定部１１３は、希望コンテンツを表示装置２０に表示させないと判定する。一方、携帯端末３０が位置Ｐ２から方向Ｄ３、又は方向Ｄ４に移動した場合、表示決定部１１３は、希望コンテンツを表示装置２０に表示させると判定する。【００４２】
また、図７（ｂ）を用いて、表示決定部１１３が、希望コンテンツを表示装置２０に表示させないと判定する場合について説明する。
図７（ｂ）に示すように、位置Ｐ３にいる携帯端末３０が、位置Ｐ３から方向Ｄ５に示す方向に移動し、判定領域Ｅにおける領域内の位置Ｐ４に移動したとする。携帯端末３０が、位置Ｐ４に移動すると、判定領域Ｅの内側に入ることから、図６のステップＳ１において、携帯端末３０が表示装置２０に近づいたことが検出される。
しかし、携帯端末３０が、位置Ｐ３から位置Ｐ４に移動する場合、携帯端末３０を持つ利用者の視線は、位置Ｐ３から位置Ｐ４に向かう方向であると考えられる。そのため、表示面２０Ａが表示装置２０の背面に遮られ、表示面２０Ａは利用者の視界に入らないと考えられる。この場合、表示決定部１１３は、希望コンテンツを表示装置２０に表示させないと判定する。具体的には、表示決定部１１３は、端末位置情報の履歴を用いて、携帯端末３０を持つ利用者の移動方向を検出し、移動方向が、表示装置２０の正面から背面への方向と略反対方向である場合に、希望コンテンツを表示装置２０に表示させないと判定する。【００４３】
また、位置Ｐ４にいる携帯端末３０が、さらに位置Ｐ４から方向Ｄ６に示す方向に移動し、判定領域Ｅにおける領域内の位置Ｐ５に移動したとする。この場合、もはや携帯端末３０を持つ利用者の移動方向の前側に表示装置２０が存在しない。このため、利用者の視界には、表示面２０Ａが入らない。この場合、表示決定部１１３は、希望コンテンツを表示装置２０に表示させないと判定する。すなわち、表示決定部１１３は、判定領域Ｅの内側に携帯端末３０が入っても、携帯端末３０の移動方向の前側に表示装置２０が存在しない場合、または携帯端末３０の移動方向が表示装置２０の正面から背面への方向と、略反対方向である場合に、希望コンテンツを表示装置２０に表示させないと判定する。
さらに、位置Ｐ５にいる携帯端末３０が、さらに位置Ｐ５から方向Ｄ７に示す方向に移動し、判定領域Ｅにおける領域の外に移動したとする。この場合、携帯端末３０が判定領域Ｅの外側に出ることから、図６のステップＳ３において、携帯端末３０が表示装置２０から離れたことが検出される。【００４４】
以上説明したように、選択部１１２は、表示装置２０に対応させて予め設定された地域情報と、携帯端末３０に対応させて予め設定された希望情報と、に基づいて、希望コンテンツを選択する。これにより、表示システム１の表示方法においては、携帯端末３０の利用者が取得を希望するカテゴリのコンテンツであって、表示装置２０が設置された場所に関係する地域におけるコンテンツである希望コンテンツを表示装置２０に表示させることができる。すなわち、表示システム１の表示方法においては、携帯端末３０の利用者に適切なコンテンツを表示装置に表示することができる。
また、選択部１１２は、検出部１１１が行う検出ステップの後に、表示装置２０に表示させる希望コンテンツを選択する。これにより、表示システム１の表示方法においては、携帯端末３０が表示装置２０に近づいたことが検出された後に希望コンテンツを選択するため、携帯端末３０の利用者が表示装置２０に近づく適切なタイミングで希望コンテンツを表示装置２０に表示させることができる。【００４５】
また、選択部１１２は、端末位置情報の履歴に基づいて、希望コンテンツを選択する。これにより、表示システム１の表示方法においては、携帯端末３０の利用者が例えば頻繁に訪れる店舗などの希望情報を用いて希望コンテンツを選択することができ、より適切な希望コンテンツを表示装置２０に表示させることができる。
また、選択部１１２は、複数の地域における地域情報のうち、端末位置情報の履歴に応じて選択された地域に基づいて、希望コンテンツを選択する。これにより、表示システム１の表示方法においては、携帯端末３０の利用者が例えば頻繁に通行する地域の地域情報を用いて希望コンテンツを選択することができ、より適切な希望コンテンツを表示装置２０に表示させることができる。
また、検出部１１１は、表示装置２０の周辺に設定された判定領域Ｅに携帯端末３０が入った場合に、携帯端末３０が表示装置２０に近づいたことを検出する。これにより、表示システム１の表示方法においては、携帯端末３０の利用者が表示装置２０の近くにいる場合に表示装置２０に希望コンテンツを表示させることができ、より適切なタイミングで希望コンテンツを表示装置２０に表示させることができる。【００４６】
また、表示決定部１１３は、端末位置情報、および携帯端末３０の移動方向の少なくとも一方に基づいて、表示装置２０に希望コンテンツを表示するか否かを決定する。これにより、表示システム１の表示方法においては、携帯端末３０の利用者が表示装置２０の表示面２０Ａが視界に入る場合に表示装置２０に希望コンテンツを表示させることができる。
また、送信部１１４は、表示決定部１１３の決定結果に基づいて、配信制御装置１２およびネットワーク４０を介して、表示装置２０に希望コンテンツを表示させる。これにより、表示システム１の表示方法においては、より適切なタイミングで表示装置２０に希望コンテンツを表示させることができる。【００４７】
また、選択部１１２は、複数の地域における地域情報のうち、地域ごとに予め設定された順位に応じて選択された地域に基づいて、希望コンテンツを選択する。これにより、表示システム１の表示方法においては、順位が高く設定された地域の地域情報を用いて希望コンテンツを選択することができ、より適切な希望コンテンツを表示装置２０に表示させることができる。
また、選択部１１２は、複数の地域における地域情報のうち、端末位置情報の履歴と、地域ごとに予め設定された順位とに応じて選択された地域に基づいて、希望コンテンツを選択する。これにより、表示システム１の表示方法においては、例えば携帯端末３０の利用者が頻繁に訪れる店舗のうち、順位が高く設定された地域の地域情報にあるものを希望コンテンツとして選択することができる。また、地域ごとに順位を設定した管理者等は、例えば、表示装置２０を設置した場所や設置した向き等に応じて、また、携帯端末３０の利用者の移動方向を推定して順位を決定することができる。これにより、表示システム１の表示方法においては、より適切な希望コンテンツを表示装置２０に表示させることができる。【００４８】
また選択部１１２は、希望コンテンツを選択する場合、地域情報を用いるか否かを、予め携帯端末３０の利用者が設定した情報に基づいて、決定してもよい。これにより、利用者の地域情報を用いるか否かの希望にしたがって、希望コンテンツを選択することができる。
また選択部１１２は、希望情報ＤＢ１３Ａに記録された、利用者の年齢や性別等の属性情報、または利用者の第１言語（利用者の最も得意な言語、母語ともいう）の情報に基づいて、希望コンテンツを選択してもよい。これにより、本実施形態においては、利用者の年齢や性別等に応じたコンテンツを選択して表示装置２０に表示させることができる。
また、情報受信部１１０は、携帯端末３０から端末位置情報を受信するようにしてもよいし、表示装置２０から表示装置２０に携帯端末３０が近づいたことを示す情報を受信するようにしてもよい。情報受信部１１０が表示装置２０から表示装置２０に携帯端末３０が近づいたことを示す情報を受信することより、携帯端末３０からの端末位置情報を解析して表示装置２０に携帯端末３０が近づいたことを検出する必要がなく、検出部１１１が不要となる。また、ネットワーク４０を介して、個々の端末装置３０からの端末位置情報を受信する必要がないため、ネットワーク４０の負荷を低減させることができる。【００４９】
（第２の実施形態）
次に、第２の実施形態における表示システム１の表示方法について説明する。図８は、第２の実施形態における表示システム１の表示方法の動作を示すフローチャートである。この実施形態において、表示システム１には、例えば表示装置２０に表示させる希望コンテンツを選択する希望表示制御装置１１が含まれる。
希望表示制御装置１１は、表示装置２０に携帯端末３０が近づいたことを検出する（ステップＳ１１）。次に、希望表示制御装置１１は、地域情報と希望情報と、に基づいて、希望コンテンツを選択する。そして、希望表示制御装置１１は、希望コンテンツを表示装置２０へ送信する（ステップＳ１３）。【００５０】
以上説明したように、第２の実施形態における表示システム１においては、表示装置２０に携帯端末３０が近づいたタイミングで、その携帯端末３０の利用者の希望する希望コンテンツが選択され、選択された希望コンテンツが表示装置２０に表示される。これにより、第２の実施形態における表示システム１においては、表示装置の近くを通行する通行人に適切なコンテンツを表示装置に表示することができる。  【００５１】
（第３の実施形態）
次に、第３の実施形態における希望表示制御装置（表示制御装置）５０について説明する。図９は、第３の実施形態における希望表示制御装置５０の構成を示す構成図である。この実施形態において、希望表示制御装置５０は、検出部５１と、選択部５２と、送信部５３とを有する。【００５２】
検出部５１は、携帯端末３０から端末位置情報と、表示装置ＤＢ１３Ｂに記録された表示装置２０の設置位置情報に基づいて、表示装置２０に携帯端末３０が近づいたことを検出する。選択部５２は、検出部５１が表示装置２０に携帯端末３０が近づいたことを検出した場合、表示装置２０に対応づけて設定された地域情報と、携帯端末３０に対応つけて設定された希望情報とに基づいて、希望コンテンツを選択する。送信部５３は、選択部５２が選択した希望コンテンツを表示装置２０へ送信する。【００５３】
以上説明したように、第３の実施形態における希望表示制御装置５０（「表示制御装置」の一例）においては、選択部５２が、表示装置２０に携帯端末３０が近づいたことを検出した場合、前記表示装置２０に対応させて予め設定された地域情報と、携帯端末３０に対応させて予め設定された希望情報とに基づいて、希望コンテンツを選択し、送信部５３が、選択部５２が選択した希望コンテンツを表示装置２０へ送信する。これにより、第３の実施形態における希望表示制御装置５０においては、携帯端末３０の利用者が閲覧を希望するコンテンツであって、かつ表示装置２０が設置された場所に関係する地域に適切なコンテンツを表示装置２０に表示することができる。【００５４】
また、第３の実施形態における希望表示制御装置５０においては、表示装置２０の設置位置情報（「表示装置の位置の情報」の一例）と、携帯端末３０の端末位置情報（「携帯端末の位置の情報」の一例）とに基づいて、表示装置２０に携帯端末３０が近づいたことを検出する検出部５１をさらに有する。これにより、第３の実施形態における希望表示制御装置５０においては、上述した効果に加えて、携帯端末３０の利用者が表示装置２０に近づいた適切なタイミングで、希望コンテンツを表示装置２０に表示することができる。【００５５】
（第４の実施形態）
次に、第４の実施形態における表示システム６０について説明する。図１０は、第４の実施形態における表示システム６０の構成を示す構成図である。この実施形態において、表示システム６０は、配信システム１０−２と表示装置２０とを有する。配信システム１０−２は、データベース部６１と、選択部６２と、送信部６３とを有する。表示装置２０は、配信システム１０−２から送信された希望コンテンツを表示する。【００５６】
データベース部６１は、表示装置２０に対応させて予め設定された地域情報と、携帯端末３０に対応させて予め設定された希望情報とを記録する。選択部６２は、データベース部６１に記録された地域情報と希望情報とに基づいて、希望コンテンツを選択する。送信部６３は、選択部６２が選択した希望コンテンツを表示装置２０に送信する。【００５７】
これにより、本実施形態の表示システム６０においては、データベース部６１が予め地域情報と希望情報を記録しているため、選択部６２が、データベース部６１に記録された情報に基づいて希望コンテンツを選択することができる。また、送信部６３が、選択部６２が選択した希望コンテンツを表示装置２０に送信するため、表示装置２０が希望コンテンツを表示することができる。このため、本実施形態の表示システム６０においては、携帯端末３０の利用者が閲覧を希望するコンテンツであって、かつ表示装置２０が設置された場所に関する地域に適切なコンテンツを表示装置２０に表示することができる。【００５８】
以上、本発明の実施の形態について図面を参照して説明したが、具体的な構成はその実施形態に限られるものではなく、本発明の要旨を逸脱しない範囲の設計事項も含まれる。【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【産業上の利用可能性】
【００６０】
上述した表示方法は、特に適切なコンテンツを表示装置に表示させることが求められる広告業務等の職種において用いられる表示方法として利用できる。
【符号の説明】
【００６１】
１    表示システム
１０、１０−２    配信システム
１１、５０    希望表示制御装置
１１０    情報受信部
１１１、５１    検出部
１１２、５２、６２    選択部
１１３    表示決定部
１１４、５３、６３    送信部
１２    配信制御装置
１３    データベース
１３Ａ    希望情報ＤＢ
１３Ｂ    表示装置ＤＢ
１３Ｃ    コンテンツＤＢ
２０    表示装置
３０    携帯端末
４０    ネットワーク
６０    表示システム
６１    データベース部
【図１】
2018158958.tif 000003
【図２】
2018158958.tif 000004
【図３】
2018158958.tif 000005
【図４】
2018158958.tif 000006
【図５】
2018158958.tif 000007
【図６】
2018158958.tif 000008
【図７】
2018158958.tif 000009
【図８】
2018158958.tif 000010
【図９】
2018158958.tif 000011
【図１０】
2018158958.tif 000012
【国際調査報告】
2018158958.tif 000013
2018158958.tif 000014
2018158958.tif 000015
2018158958.tif 000016